(57)【要約】      （修正有）【課題】ひし形金網と、その周囲の枠線との結合を強固にして、海水による腐食が生じても、その結合部分が破損しないようにする海岸線護岸用布団篭を提供する。【解決手段】ひし形金網を構成する波形の素線６の端部を、枠線２の周りに巻き付けて連結巻付部とする。巻き付ける回数はふた廻り以上とする。素線６はその折返部をほぐし返して、二目合いピッチＰ分ほぐして直線にし、巻付部８を形成する。素線６の先端部は、腐食してもよい腐食代とする。腐食代より先の巻付部８を確保する。【選択図】図１
0003171669.tif 000002
【実用新案登録請求の範囲】
【請求項１】
矩形を呈する底網と、該底網の周縁に相対向して設けた前直網および後直網と、該底網の周縁に相対向して設けた側網と、前記前直網と後直網との間に掛け渡されるとともに、前記側網と平行に配置される仕切り網とを具備した篭本体と、前記篭本体を閉塞する前記網体製の蓋網とより構成する海岸線護岸用の布団篭であって、
前記蓋網が、方形の枠線内に、ひし形金網を張設してなり、
前記網体を構成する枠線の全長に亘ってポリエチレン系樹脂を被覆し、
前記網体を構成するひし形金網の素線の全長に亘ってポリエチレン系樹脂を被覆し、
前記ひし形金網の素線の端部を、枠線の一部に２廻り以上巻付けて連結巻付部を形成し、
前記連結巻付部の終端部に腐食代を形成したことを特徴する、
海岸線護岸用の布団篭。
【請求項２】
請求項１において、腐食代を含む連結巻付部の全長が、らせん状の素線の網目２ピッチ分の長さの範囲で、形成したことを特徴とする海岸線護岸用の布団篭。
【請求項３】
請求項１において、腐食代の長さが、１０ｍｍ以上としたことを特徴とする海岸線護岸用の布団篭。
【考案の詳細な説明】
【技術分野】
【０００１】
本考案は、海水による浸食から海岸線を守るための、海岸線護岸用の布団篭に関するものである。
【背景技術】
【０００２】
近年、温暖化による海水面上昇の影響や、気象、環境等の変化によって、砂浜、堤防、干潟、岸壁などの海岸線が海水によって浸食され、海岸線が陸側へ後退するという事態が報告されている。これら浸食による海岸線の変化によって、建物や道路などへの波浪被害や、砂浜や干潟などの消滅・減少による生態系に対する影響は極めて大きいと指摘されている。
【０００３】
他方、河川における護岸対策として、中詰材を詰めた布団篭による護岸方法が開発されている。布団篭とは、方形の枠線に防錆被覆した金網を張った網板を組み合わせて函状としたもので、これを河川の堤防などに設置して、中に詰め石などの中詰材を詰めるものである。布団篭の中の中詰材が水流を砕くとともに、堤防面等を保護して、その浸食を防ぐものである。
【０００４】
しかしながら、海の波による浸食に対して、布団篭を使用する場合は、より布団篭としての性能を考慮する必要がある。篭の材料として金網を使用するため、海水の塩分による布団篭腐食という課題があるからである。金網はその周囲を防錆加工するが、しかしながらその端部の切断部分は中の鉄線が剥き出しになるため、その部分は腐食が発生し易い。
【０００５】
布団篭においては、金網としてはひし形金網を使用することが多い。ひし形金網は、被覆した鉄線をらせん状にし、これを引き伸ばして波形の素線とし、これら複数の素線を隣り合わせて折り返し部分同士を絡ませて製造してある。鉄線が剥き出しとなった素線の端部は、枠線に巻付けて金網を連結する部分として使用していたが、巻き付けるためには、屈曲していない、つまりは素線の真っ直ぐな部分で巻き付けるしかなかった。結局、目合いピッチの一つ分だけの長さを、枠線に巻き付けていたもので、枠線の周囲に一回り半程度させるのが一杯であった。
【０００６】
このように、枠線に一回り半しかさせないだけだと、素線の端の剥き出しとなった鉄線部分の腐食が進行すると、枠線と素線の連結が外れ、布団篭自体が解体してしまうことが考えられる。
【０００７】
しかしながら、ひし形金網が機械によってオートメーション製造で製造するため、金網の目合いピッチの一つ分以上の直線部分を確保することが困難で、従って、枠線に素線の端部を一回り半以上巻き付けることが出来なかった。
【特許文献１】特開２００４−１４３８１１号公報
【特許文献２】特開平７−１８９２２８号公報
【考案の概要】
【考案が解決しようとする課題】
【０００８】
本考案が解決しようとする課題は、従来の布団篭における金網の連結部分の強度が小さかったことである。
【課題を解決するための手段】
【０００９】
本考案にかかる海岸線護岸用の布団篭は、
矩形を呈する底網と、該底網の周縁に相対向して設けた前直網および後直網と、該底網の周縁に相対向して設けた側網と、前記前直網と後直網との間に掛け渡されるとともに、前記側網と平行に配置される仕切り網とを具備した篭本体と、前記篭本体を閉塞する前記網体製の蓋網とより構成する海岸線護岸用の布団篭であって、
前記蓋網が、方形の枠線内に、ひし形金網を張設してなり、
前記網体を構成する枠線の全長に亘ってポリエチレン系樹脂を被覆し、
前記網体を構成するひし形金網の素線の全長に亘ってポリエチレン系樹脂を被覆し、
前記ひし形金網の素線の端部を、枠線の一部に２廻り以上巻付けて連結巻付部を形成したものである。
前記腐食代を含む連結巻付部の全長は、らせん状の素線の網目２ピッチ分の長さの範囲で、形成することが好ましい。
また、腐食代の長さは、従来の１．５巻きプラス１０ｍｍ以上とすることが好適である。
【考案の効果】
【００１０】
本考案にかかる海岸線護岸の布団篭は、波形の素線を、ふたつの目合いピッチ分ほぐし返し、そのほぐした部分を枠線周囲に巻き付けるため、２廻り以上巻き付けることが可能となり、先端から腐食が生じても、巻付け部分を充分確保できる。また、素線の先端一部を積極的に腐食を容認する腐食代とすることで、この部分が腐食しても素線と枠線との連結部分は依然維持され、腐食が原因の損壊の恐れもなくなる。
【考案を実施するための形態】
【００１１】
＜イ＞全体の構成
図４に示すのは、布団篭１の実施例であって、方形の枠線２にひし形金網３が張られて網体４が形成され、この網体４を複数組み合わせて函形の篭本体１が構成されている。篭本体１は、底網１１、前直網１２、後直網１３、側網１４からなっている。必要なときは、前直網１２と後直網１３との間に掛け渡すように、側網１４と平行な仕切り網が設けられる場合がある。それら網体１１、１２、１３、１４は、連結コイル１５によって連結されている。以上のような篭本体１の上には、同じ網体から成る蓋網５を載せ、閉塞可能となっている。
【００１２】
＜ロ＞網体
ひし形金網３は、らせん状にした素線６を、金網の目合いピッチＰ分ごとに折り返すように引き伸ばした波形の多数本素線６から編成されている。この素線６を隣り合わせて、その折り返し部７を互いに絡ませて金網３としてある。金網６の幅方向の折返部７は、枠線２の一辺の同一線上に配列して枠線２に絡ませてある。素線６も枠線２も、その周囲にポリエチレン系樹脂が被覆されて、防錆加工がなされている。被覆の厚みは１ｍｍ程度である。
【００１３】
＜ハ＞列線と枠線の連結
金網３の長手方向の端部となる、前記した列線６の端部は、枠線２の前記一辺と直交する他辺に沿って配列され、周囲に巻き付けられて連結巻付部８とし、枠線２と結合されている。素線６は、オートメーション加工によって波形に成形されるが、その端部の目合いピッチＰ二つＬ分、機械によってその折り返し部７をほぐし返して直線にする。このほぐした部分を枠線２の周囲に巻き付けて、連結巻付部８とする。図に示す実施例では、素線６の端部を予め円形に屈曲して、その中に枠線２を通す方式を採用しており、素線６の巻付部８の内径Ｄは、枠線２の太さより大きくなっている。
【００１４】
＜ニ＞巻き数
本考案では、素線６端部の枠線２への巻き付け回数を、１．５回よりも多くすることが要件である。必要巻き付け回数をＮとし、素線６の巻付部８の内径をＤ、素線６太さをｄとする。そうして、素線６をほぐす目合い数をｍとすると次の数式１が成立する。
【００１５】
【数１】
0003171669.tif 000003
【００１６】
このとき、内径Ｄが１６ｍｍ、太さｄが７ｍｍ、必要巻き付け回数を２．５回とすると、下記の数式２によって、目合いピッチ数ｍが導き出される。
【００１７】
【数２】
0003171669.tif 000004
【００１８】
＜ホ＞ほぐす目合いピッチ数
以上のように、１．７８以上の目合いピッチ数が必要で、目合いピッチ二つ分をほぐし返して直線にし、これを枠線２に巻き付けることが必要となる。巻き付け回数としては、２．５回以上が好適である。
【００１９】
＜ヘ＞腐食代
ほぐして枠線２に巻き付けた素線６の端部の先端部分は腐食代ｇとして、海水の中で腐食してもよい部分とする。その長さは１０ｍｍ以上とする。この腐食代ｇを確保しておくことで、素線６の先端が腐食しても、巻付け部分は充分確保され、列線６の巻き付け部分と枠線２との結合が離脱することがない。また、素線６の枠線２周囲への巻き付け回数は、ふた廻り以上を確保でき、素線６、すなわち金網３と枠線２との連結が強固となって、布団篭１全体の強度も大きくなる。
【００２０】
＜ト＞海岸線への設置
本考案は、複数個を横に並べるものや、上下に積み上げるものなど、様々な態様の布団篭１に実施でき、その設置も、岸壁、砂浜、干潟、サンゴ礁、等様々場所に使用可能である。布団篭１の中には詰め石などの中詰材を詰めて、護岸する。
【図面の簡単な説明】
【００２１】
【図１】金網を構成する素線を枠線に巻き付けた部分の正面図である。
【図２】図１に示す部分の断面図である。
【図３】網体の一部正面図である。
【図４】布団篭の斜視図である。
【符号の説明】
【００２２】
１  布団篭
２  枠線
３  ひし形金網
４  網体
５  蓋
６  素線
７  折返部
８  連結巻付部
【図１】
0003171669.tif 000005
【図２】
0003171669.tif 000006
【図３】
0003171669.tif 000007
【図４】
0003171669.tif 000008